(57)【要約】【課題】  再生用ディスクをローディングしたときの再生開始までの時間を短縮する。【解決手段】  ２個の光ピックアップを有する光ディスク記録再生装置に光ディスクをローディングしたとき、第１の光ピックアップは、挿入されたディスクが再生用のディスクであるとして各種パラメータをセットしてフォーカスサーボを行い（Ｓ１１）、ディスクの情報を読み出してそのディスクの種類を判別する（Ｓ１２）。同時に、第２の光ピックアップは、挿入されたディスクが記録用のディスクであるとしてパラメータをセットしてフォーカスサーボを行い（Ｓ１６）、ディスク種類を判別する（Ｓ１８）。挿入されたディスクがＣＤやＤＶＤ−Ｖｉｄｅｏなどの再生用のディスクであるときは、ステップＳ１２でディスク種類が判別された後、すぐにその再生が開始される（Ｓ１３）。【選択図】  図２
2006146986.tif 000002
【特許請求の範囲】
【請求項１】
複数の光ピックアップを有する光ディスク記録再生装置であって、
ディスク挿入時に、複数の前記光ピックアップを用いて、同時に、異なる種類のディスクに対応した初期動作を実行させることを特徴とする光ディスク記録再生装置。
【請求項２】
複数の光ピックアップを有する光ディスク記録再生装置であって、
ディスク挿入時に、一の光ピックアップに再生専用光ディスクに対する読み取り動作を実行させると同時に、他の光ピックアップに記録用光ディスクからディスク情報を読み取る動作を実行させることを特徴とする光ディスク記録再生装置。
【請求項３】
複数の光ピックアップを有する光ディスク記録再生装置であって、
ディスク挿入時に、一の光ピックアップにＣＤの再生動作を実行させると同時に、他の光ピックアップにＤＶＤの再生動作を実行させることを特徴とする請求項１記載の光ディスク記録再生装置。
【請求項４】
情報を再生することができなかった光ピックアップに、他方の光ピックアップにより実行されていた再生動作に対応する種類の光ディスクからディスク情報を読み取る動作を実行させることを特徴とする請求項３記載の光ディスク記録再生装置。
【発明の詳細な説明】
【技術分野】
【０００１】
本発明は、複数の光ピックアップを有する光ディスク記録再生装置に関する。
【背景技術】
【０００２】
複数種類の光ディスクに情報を記録再生することができる光ディスク記録再生装置が知られている。光ディスクの種類としては、ＣＤ，ＣＤ−Ｒ、ＣＤ−ＲＷなどのＣＤ系のディスク、及び、ＤＶＤビデオ，ＤＶＤ−Ｒ，ＤＶＤ−ＲＷ，ＤＶＤ−ＲＡＭ，ＤＶＤ＋Ｒ，ＤＶＤ＋ＲＷなどのＤＶＤ系のディスクがある。
このような複数種類の光ディスクを取り扱うことができる光ディスク記録再生装置は、まず、ローディングされたディスクの種別を判別した後、該判別したディスクの種類に応じた処理を行うようになされている。
例えば、ディスクローディング後、光ピックアップにフォーカスサーボをかけて、反射光によりディスクの種類を判別した後、記録判別等ディスクの状態を調べてから再生専用ディスクか記録可能なディスクかを判断するようになされた光ディスク記録再生装置が提案されている（特許文献１）。
【０００３】
一方、複数の光ピックアップを備えた光ディスク記録再生装置が提案されている（特許文献２）。
【特許文献１】特開２００３−０１６６４１号公報
【特許文献２】特開平１０−１４３８６９号公報
【発明の開示】
【発明が解決しようとする課題】
【０００４】
再生専用の光ディスク再生装置では、ＤＶＤとＣＤといった異なる種類のディスクを再生することができるものであっても、ディスクを挿入してから再生が開始されるまでの待ち時間は短いものであった。しかしながら、記録と再生の両方を行うことができる光ディスク記録再生装置においては、再生専用のディスクを挿入してから再生が開始されるまでに非常に長い時間がかかっていた。  
例えば、ＤＶＤプレーヤという再生専用機と、ＤＶＤレコーダという記録再生機を比べると、記録済みのＤＶＤディスクをローディングしてプレイボタンを押すと、再生専用機では直ぐに絵が出るのに、記録再生機の場合にはディスクの種類を判別してからとなるので、絵が出るまでに非常に時間がかかっていた。
これは、上述のように、光ディスク記録再生装置にあっては、ディスクの全ての種類に対して、何のディスクであるかを判別してから、次の動作に入るようになされており、記録することができるディスクの場合に、書き込み済であるか、まだ書込みされていないかといったディスクの状態チェックに時間がかかるためである。
したがって、例えば、ローディングしたディスクが、ユーザ自身が記録した書き込み済のもので、すぐに映像を再生したい場合であっても、上述のようにディスク判別を行わなければ次の動作に移ることができず、ローディング後すぐに再生できないという不満があった。
【０００５】
そこで本発明は、再生専用ディスクを挿入したときに短時間でその再生を開始することができる光ディスク記録再生装置を提供することを目的としている。
【課題を解決するための手段】
【０００６】
上記目的を達成するために、本発明の光ディスク記録再生装置は、複数の光ピックアップを有する光ディスク記録再生装置であって、ディスク挿入時に、複数の前記光ピックアップを用いて、同時に、異なる種類のディスクに対応した初期動作を実行させるようになされているものである。
また、本発明の他の光ディスク記録再生装置は、複数の光ピックアップを有する光ディスク記録再生装置であって、ディスク挿入時に、一の光ピックアップに再生専用光ディスクに対する読み取り動作を実行させると同時に、他の光ピックアップに記録用光ディスクからディスク情報を読み取る動作を実行させるようになされているものである。
さらに、本発明のさらに他の光ディスク記録再生装置は、複数の光ピックアップを有する光ディスク記録再生装置であって、ディスク挿入時に、一の光ピックアップにＣＤの再生動作を実行させると同時に、他の光ピックアップにＤＶＤの再生動作を実行させるようになされているものである。
そして、情報を再生することができなかった光ピックアップに、他方の光ピックアップにより実行されていた再生動作に対応する種類の光ディスクからディスク情報を読み取る動作を実行させるようになされているものである。
【発明の効果】
【０００７】
複数の光ピックアップを用いて、同時に、異なる種類のディスクに対応した初期動作を実行させるようにした本発明の光ディスク記録再生装置によれば、並行して初期動作が行われるために、ローディングされた光ディスクに対応する処理が行われるまでの時間を短縮することができる。
一の光ピックアップに再生専用光ディスクに対する読み取り動作を実行させると同時に、他の光ピックアップに記録用光ディスクからディスク情報を読み取る動作を実行させる本発明の光ディスク記録再生装置によれば、一つの光ピックアップは再生専用機と同じ動作を行うこととなり、再生専用のディスク、ファイナライズドレコーダブルディスク、マルチセッションレコーダブルディスクなどをローディングした場合、短時間でその再生が開始される。
ディスク挿入時に、一の光ピックアップにＣＤの再生動作を実行させると同時に、他の光ピックアップにＤＶＤの再生動作を実行させる本発明の光ディスク記録再生装置によれば、再生専用のディスク、ファイナライズドレコーダブルディスク、マルチセッションレコーダブルディスクなどをローディングした場合、直ちにその再生が開始される。
【発明を実施するための最良の形態】
【０００８】
図１は、本発明の光ディスク記録再生装置の概略構成を示すブロック図である。
この図において、１は光ディスク、２は光ディスク１を回転駆動するスピンドルモータ、３はこの光ディスク記録再生装置全体を制御する処理装置（ＣＰＵ）、４は前記光ディスク１からデータを読み出したり、光ディスク１にデータを記録したりする第１の光ピックアップ、５は同じく第２の光ピックアップである。各光ピックアップ４及び５は、いずれも、ＣＤ系のディスクとＤＶＤ系のディスクの両方に対して記録及び再生を行うことができるものである。
６は前記第１の光ピックアップ４により読み取られた信号を演算処理しＲＦ信号などを出力するＲＦアンプ、７は該ＲＦアンプ６から出力されたＲＦ信号を復調・復号するデコーダ、８はスピンドルサーボ、トラッキングサーボ及びフォーカシングサーボなどの各種サーボ制御を行う第１のサーボ回路、９は前記光ディスク１に記録するデータを符号化し変調する第１のエンコーダ、１０は該第１のエンコーダ９の出力が入力される第１の記録制御回路、１１は第１の記録制御回路１０の出力に基づいて第１の光ピックアップ４のレーザ発光部を駆動する第１のレーザー駆動回路である。
また、第２の光ピックアップ５側にも、同様に、第２のＲＦアンプ１２、第２のデコーダ１３、第２のサーボ回路１４、第２のエンコーダ１５、第２の記録制御回路１６及び第２のレーザー駆動回路１７が設けられている。
【０００９】
このように構成された光ディスク記録再生装置において、前記処理装置３は、光ディスクがローディングされたときに、前記第１の光ピックアップ４と前記第２の光ピックアップ５の両方を用いて異なる種類の光ディスクに対する初期動作を並列に実行する。これにより、ローディングされた光ディスクに対応する処理が行われるまでの時間を短縮することができ、再生専用の光ディスクが挿入されたときに再生が開始されるまでの時間を短縮することができる。
【００１０】
本発明の光ディスク記録再生装置の第１の実施の形態において、光ディスク１が挿入されたときの動作について、図２のフローチャートを参照して説明する。
この実施の形態においては、前記第１の光ピックアップ４は、再生専用の光ディスクがローディングされたものとして初期動作を実行し、それと並行して、前記第２の光ピックアップ５は記録用の光ディスクがローディングされたものとして初期動作を実行する。
すなわち、図２に示すように、光ディスクがローディングされると、第１の光ピックアップ４は、ローディングされた光ディスクが再生専用のディスク（ＣＤ（ファイナライズされたＣＤ−Ｒも含む。）又はＤＶＤ−Ｖｉｄｅｏ）であるものとして各種パラメータをセットしてフォーカスサーボをオンとし（ステップＳ１１）、読み取られた信号に基づいてディスクの種類を判別する（ステップＳ１２）。
【００１１】
具体的には、まず、ディスクがＣＤであるものとして、前記第１の光ピックアップ４、前記デコーダ７、サーボ回路８などに対しＣＤ用のパラメータを設定してフォーカスサーボをオンとし、ディスクの内周部のデータを読み取る。その結果、データを読み取ることができたときは、その再生を行う（ステップＳ１３）。
一方、ディスクのデータを読み取ることができなかったときは、ディスクがＤＶＤ−Ｖｉｄｅｏであるとして、ＤＶＤ用のパラメータを設定し、フォーカスサーボをオンとして（Ｓ１１）、そのディスクの内周部のデータを読み取る。その結果、情報を読み取ることができれば、そのディスクの再生を開始する（Ｓ１３）。
一方、読み取ることができなかったときは、データ無しと判断し（ステップＳ１４）、第１の光ピックアップ４に関する処理を停止する（ステップＳ１５）。すなわち、再生専用として動作させた第１の光ピックアップ４は、ローディングされたディスクが再生専用でないときは、そのまま動作を停止して、他方の光ピックアップによる動作を待てばよい。
この第１の光ピックアップ４による処理は、再生専用機の動作と同様であり、再生専用のディスクが挿入されたときに迅速にその再生を行うことができる。
【００１２】
一方、前記第２の光ピックアップ５は記録可能なディスク（未記録又はファイナライズされていないＣＤ−Ｒ、ＤＶＤ−ＲＷ、ＤＶＤ＋ＲＷ、ＤＶＤ−ＲＡＭなど）用の初期動作を行う。すなわち、まず、いずれか一種、例えば、ＣＤ−Ｒ用のパラメータをセットし、フォーカスサーボをオンとして（ステップＳ１６）、そのディスクからデータを読み取ることができる否かを判定することによりディスク種類を判別する。データを読み取ることができないときには、次の種別のディスクに対応したパラメータをセットしてフォーカスサーボをオンとしディスク情報が読み取れるか否かによりそのディスクの種類を判別する（ステップＳ１７）。
このようにしてディスクの種類を判別した後、そのディスクのディスク情報を読み取って記録判別を行い（ステップＳ１８）、記録することができるときには、記録準備を行って（ステップＳ１９）、待機する（ステップＳ２０）。一方、追記ができないなど記録をすることができないときは（ステップＳ２１）、第２の光ピックアップ５に関する処理を停止する（ステップＳ２２）。
【００１３】
このように、この実施の形態によれば、第１の光ピックアップ４と第２の光ピックアップ５を用いて同時に異なる種類の光ディスクに対する初期動作を行わせており、特に、第１の光ピックアップ４に再生専用ディスクに対する初期動作を実行させているため、再生専用ディスクを挿入したときに、高速にその再生を行うことができる。
なお、この実施の形態においては、第１の光ピックアップ４は、記録再生用ではなく再生専用のピックアップであってもよい。
【００１４】
次に、本発明の光ディスク記録再生装置の第２の実施の形態の動作について、図３のフローチャートを参照して説明する。
この実施の形態においては、最初に、第１の光ピックアップ４はＣＤに対する初期動作を行い、これと並行して第２の光ピックアップ５はＤＶＤに対する初期動作を行う。そして、その最初の動作によりディスクからデータを読み取って再生することができなかった光ピックアップは、他方のピックアップにより実行されていた動作に対応する種類の光ディスクからディスク情報を読み取る動作を実行する。
【００１５】
図３に示すように、光ディスクがローディングされたとき、第１の光ピックアップ４は、各パラメータをＣＤに対応するようにセットして（ステップＳ３１）、フォーカスサーボをオンとし（ステップＳ３２）、その光ディスクから情報を読み取ることができるか否かを判定する（ステップＳ３３）。
ローディングされた光ディスクがＣＤの場合には、情報を読み取ることができるため（Ｓ３３がＹＥＳ）、そのＴＯＣ（Table of contents）のデータを読み取り（ステップＳ３４）、その再生を開始する（ステップＳ３５）。
一方、情報を読み取ることができなかったときは（Ｓ３３がＮＯ）、ローディングされたディスクがＣＤではないので、各パラメータをＤＶＤ−Ｒに設定して（ステップＳ３６）、フォーカスサーボをオンとし（ステップＳ３７）、ディスクの情報を読み取ることができるか否かを判定する（ステップＳ３８）。
そのディスクがＤＶＤ−Ｒであり、ディスクの情報を読み取ることができるときは（Ｓ３８がＹＥＳ）、そのディスクの情報を読み取り（ステップＳ３９）、待機状態に移行してユーザの操作を待つ（ステップＳ４０）。
一方、そのディスクの情報を読み取ることができないときは（Ｓ３８がＮＯ）、第１の光ピックアップ４に関する処理を停止させる（ステップＳ４１）。  
【００１６】
一方、前記第２の光ピックアップ５は、前記光ピックアップ４の前記ステップＳ３１と並行して、各パラメータをＤＶＤにセットして（ステップＳ４２）、フォーカスサーボをオンとし（ステップＳ４３）、その光ディスクから情報を読み取ることができるか否かを判定する（ステップＳ４４）。
挿入されたディスクがＤＶＤであってディスクから情報を読み取ることができるときは（Ｓ４４がＹＥＳ）、そのＴＯＣのデータを読み取り（ステップＳ４５）、再生を行う（Ｓ４６）。
挿入されたディスクがＤＶＤでなくディスクの情報を読み取ることができないときは（Ｓ４４がＮＯ）、各パラメータをＣＤ−Ｒに設定して（ステップＳ４７）、フォーカスサーボをオンとし（ステップＳ４８）、そのディスクの情報を読み取ることができるか否かを判定する（ステップＳ４９）。
そして、ディスク情報を読み取ることができるときは（Ｓ４９がＹＥＳ）、そのディスク情報を読み取り（ステップＳ５０）、待機状態に移行してユーザの操作を待つ（ステップＳ５１）。
一方、ディスク情報を読み取ることができないときは（Ｓ４９がＮＯ）、第２の光ピックアップ５に関する処理を停止する（ステップＳ５２）。  
【００１７】
例えば、再生専用ＣＤがローディングされたときには、前記第１の光ピックアップ４の処理において、ステップＳ３３がＹＥＳとなり、その再生が行われる（Ｓ３４，Ｓ３５）。一方、前記第２の光ピックアップ５の処理においては、ステップＳ４４がＮＯとなり、ステップＳ４７及びＳ４８が実行されるが、ステップＳ４９の結果がＮＯとなって、停止状態となる（Ｓ５２）。
また、データが書き込まれていないブランクＣＤ−Ｒがローディングされたときは、前記第１の光ピックアップ４の処理において、ステップＳ３３がＮＯとなり、第１の光ピックアップ４はＤＶＤ−Ｒに対する動作をする（Ｓ３６，Ｓ３７）が、ステップＳ３８の結果がＮＯとなって、停止する（Ｓ４１）。一方、第２の光ピックアップ５は、ステップＳ４４の結果がＮＯとなり、ＣＤ−Ｒに対する動作に移行する（Ｓ４７，Ｓ４８）。そして、ステップＳ４９の結果がＹＥＳとなり、ディスク情報を読み取って待機する（Ｓ５０，Ｓ５１）。
【００１８】
さらに、ファイナライズされたＣＤ−Ｒ又はマルチセッション書込みされたＣＤ−Ｒが挿入されたときは、前記第１の光ピックアップ４の処理において、前記ステップＳ３３の結果がＹＥＳとなり、その情報が再生される（Ｓ３４，Ｓ３５）。一方、第２の光ピックアップ５の処理においては、前記ステップＳ４４の結果がＮＯとなり、前記ステップＳ４９の結果がＹＥＳとなる。したがって、第２の光ピックアップ５により、ディスク情報が読み取られ（Ｓ５０）、第２の光ピックアップ５は待機状態となる（Ｓ５１）。
さらにまた、ＤＶＤＶｉｄｅｏが挿入されたときは、前記第１の光ピックアップ４の処理において、前記ステップＳ３３はＮＯ、ステップＳ３８もＮＯとなり、第１の光ピックアップ４は停止状態となる（Ｓ４１）。一方、第２の光ピックアップ５は、ステップＳ４４がＹＥＳとなり、その情報が再生される（Ｓ４５，Ｓ４６）。
さらにまた、ファイナライズされたＤＶＤ−Ｒ又はマルチセッション書込みされたＤＶＤ−Ｒが挿入されたときは、前記第１の光ピックアップの処理において、前記ステップＳ３３はＮＯとなり、前記ステップＳ３８がＹＥＳとなる。そして、そのディスク情報が読み取られ（Ｓ３９）、第１の光ピックアップ４は待機状態となる（Ｓ４０）。一方、第２の光ピックアップ５の処理において、ステップＳ４４がＹＥＳとなり、その情報の再生が行われる（Ｓ４５，Ｓ４６）。
【００１９】
このように、この実施の形態によれば、ディスクが挿入されたときに、第１の光ピックアップ４を用いてＣＤ用の初期動作を行なうとともに、第２の光ピックアップ５を用いてＤＶＤ用の初期動作を行う。これにより、再生専用のＣＤ又はＤＶＤが挿入されたときは、すぐにその再生を行うことが可能となる。
また、挿入された光ディスクがＣＤでなかったときはＤＶＤ−Ｒに対応する初期動作を行い、ＤＶＤでなかったときはＣＤ−Ｒに対応する初期動作を行うようにしているので、ＤＶＤ−Ｒのディスクが挿入されたときは、第２の光ピックアップ５で再生を行う（Ｓ４６）とともに第１の光ピックアップ４で記録準備を行う（Ｓ３９）ことができ、いわゆる追いかけ再生を行うことができる。
【００２０】
なお、以上の説明においては、光ピックアップが２個設けられている場合について説明したが、３個以上の光ピックアップが設けられている場合にも、同様に本発明を適用することができる。
【図面の簡単な説明】
【００２１】
【図１】本発明の光ディスク記録再生装置の概略構成を示すブロック図である。
【図２】本発明の光ディスク記録再生装置の第１の実施の形態の動作を説明するためのフローチャートである。
【図３】本発明の光ディスク記録再生装置の第２の実施の形態の動作を説明するためのフローチャートである。
【符号の説明】
【００２２】
１：光ディスク、２：スピンドルモータ、３：処理装置、４：第１の光ピックアップ、５：第２の光ピックアップ、６第１のＲＦアンプ、７：第１のデコーダ、８：第１のサーボ回路、９：第１のエンコーダ、１０：第１の記録制御回路、１１：第１のレーザー駆動回路、１２：第２のＲＦアンプ、１３：第２のデコーダ、１４：第２のサーボ回路、１５：第２のエンコーダ、１６：第２の記録制御回路、１７：第２のレーザー駆動回路
【図１】
2006146986.tif 000003
【図２】
2006146986.tif 000004
【図３】
2006146986.tif 000005